(57)【特許請求の範囲】
【請求項１】
多値画像データに基づいて画像を形成する画像形成装置であって、
単一の基準クロック信号を生成する基準クロック信号生成手段、前記基準クロック信号を逓倍して異なる周波数の変換クロック信号を少なくとも１つ生成する変換手段、各々交流成分を有する電力を生成して同一機能を有する複数の被供給体に供給する複数の電源、及び前記基準クロック信号及び前記変換クロック信号の何れかを前記交流成分の周波数及びデューティを設定するための信号として前記複数の電源のうちの少なくとも２つの電源に供給することによって当該少なくとも２つの電源により生成される電力の前記交流成分の同期をとる同期手段を備えた電源装置と、
前記同期手段により前記交流成分の同期がとられた電力によって現像及び帯電の少なくとも一方の動作が行われる複数の感光体と、
前記複数の感光体を前記多値画像データに基づく光ビームによって走査する複数の走査光学系と、
を備えたことを特徴とする画像形成装置。
【発明の詳細な説明】
【０００１】
【発明の属する技術分野】
本発明は、画像形成装置に係り、より詳しくは、各々交流成分を有する電力を生成する複数の電源を備えた電源装置を電力源として用いた画像形成装置に関する。
【０００２】
【従来の技術】
近年のカラー画像形成装置（カラー複写機、カラープリンタ等）の普及に伴い、市場からは高画質化及び高速化が要望されており、高画質化に対応するための技術としては数ミクロントナーを用いる技術等があった。
【０００３】
一方、高速化に対応したカラー画像形成装置として、各々異なる色に対応する複数の感光体を有し、対応する色の画像（トナー像）を各感光体に並行して形成した後に各感光体上に形成された各色のトナー像を所定の方向（副走査方向）に所定の速度で移動している単一の転写体に順次転写することによってカラー画像を得る、所謂タンデム型のカラー画像形成装置があった。
【０００４】
この種のカラー画像形成装置では一般に、感光体上にトナー像を形成するために、感光体を帯電させる帯電器、帯電された感光体にトナーを付着させる現像器等が各感光体の近傍に各々設けられており、これらの帯電器、現像器等の電力源として用いる高圧電源を各感光体毎に個別に備えている場合が多い。これは主に次の２つの理由による。
【０００５】
第１の理由は、タンデム型の画像形成装置では、上述したように感光体毎に色別に形成したトナー像を副走査方向に移動している転写体に順次転写することによってカラー画像を形成しているため、各感光体に対応して設けられている帯電器、現像器等を感光体毎に異なるタイミングでオン／オフ（駆動／駆動停止）する必要があるためである。
【０００６】
すなわち、副走査方向に移動している転写体に対して、各々異なる位置に配置された複数の感光体からトナー像を転写することにより１つのカラー画像を形成するためには、同一画素に対応する各感光体上のトナー像を転写体の同一位置に転写する必要があり、このためには、一例として図１７に示すように、複数の現像器の各々に供給する電力（図１７では直流電力（ＤＣ）及び交流電力（ＡＣ）の２つの電力）の供給のタイミングを各感光体間の距離及び転写体の移動速度に応じた時間だけずらす必要があるのである。なお、図１７における動作信号は１枚分の画像形成動作の期間を示す信号である。また、同図では現像器が４つ設けられた、すなわち感光体が４つ設けられたカラー画像形成装置の場合を例示している。
【０００７】
また、第２の理由は、感光体の劣化を抑制するためである。感光体は一般に帯電によって劣化するため、感光体に対する帯電期間を極力短くする必要があり、感光体毎に異なるタイミングで電力の供給／遮断を制御できるようにすることによって、不必要に感光体を帯電することを防止することができ、これによって感光体の劣化を抑制することができる。
【０００８】
一方、上記のようなカラー画像形成装置には、上述した高画質化及び高速化の他、小型化に対する要望も高く、上記のような感光体毎に異なる高圧電源を備えたタンデム型のカラー画像形成装置では、次のような問題があった。
【０００９】
各高圧電源は、装置の小型化を実現する上でのレイアウト上の制約によって、対応する感光体近傍に設けられた現像器、帯電器等から離れた位置に配置される場合が多く、この場合には各高圧電源と、対応する現像器、帯電器等とを接続する高耐圧の複数の高圧ケーブルが略同一経路で引き回される場合が多い。
【００１０】
一方、従来の高圧電源では、交流出力の周波数及びデューティを設定するためのクロック信号を生成する発振器等のクロック信号生成手段を各高圧電源毎に個別に備えているため、各高圧電源からの交流出力は同期がとりにくい状態となっている。
【００１１】
一般に、同期がとれていない交流出力同士がケーブル等で近接した場合、各ケーブル間の浮遊容量によって相互誘導が発生し、この影響によって各ケーブル間で位相のずれに起因して電位差が発生し、交流出力波形に図１８（Ａ）に示すような歪みが発生することになる。この状態が連続すると、図１８（Ｂ）に示すように交流出力の周波数（一般に数ｋＨｚ〜数１０ｋＨｚ）より低い周波数（数１０Ｈｚ〜数１００Ｈｚ程度）で出力波形が変化する。
【００１２】
図１８（Ｃ）には、このような出力波形の変化の実測結果の一例が示されている。同図に示す例では、交流出力の周波数が９ｋＨｚであり、発生した低周波の周波数が５６０Ｈｚであった。
【００１３】
この低い周波数と当該画像形成のプロセススピードとの関係から、現像や帯電の均一性の悪化を招き、所謂バンディング（縞縞）となって画質ディフェクトとなってしまう、という問題が発生するのである。
【００１４】
ところで、この問題は、高速化及び高画質化に対応するために、帯電器、現像器等に対する駆動用の交流電力の周波数を上昇したことに起因して発生した問題である。図１９には、交流出力の周波数が５ｋＨｚ、９ｋＨｚ、１５ｋＨｚである場合の、上記高圧ケーブル間の距離に対する電位差の状態が示されている。同図に示すように、交流出力の周波数が高くなる程、各高圧ケーブル間の距離を大きくしても大きな電位差が発生してしまう。従って、交流出力の周波数が高くなる程、バンディングが発生しやすくなる。
【００１５】
このようなバンディングを防止するために適用し得る技術としては、高圧電源と現像器、帯電器等とを接続する高圧ケーブルとしてシールドケーブルを用いることにより各ケーブルの分布容量を一定にして相互干渉をなくす技術（以下、シールド化方式という）、高圧電源を１つにし、かつ該高圧電源からの出力電力を全ての現像器、帯電器等に供給することにより各電力の位相のずれを抑制する技術（以下、１コンバータ方式という）、及び高圧電源と現像器、帯電器等とを直結してケーブルレス化する技術（以下、ケーブルレス方式という）の３つの技術があった。
【００１６】
【発明が解決しようとする課題】
しかしながら、上記シールド化方式による技術では、ケーブルの分布容量が増加するため、高圧電源のパワーアップ化が必要となり、コスト及び消費電力が増加してしまう、という問題点があった。また、この技術では、装置組み立て時、若しくはケーブル製造時にケーブルのシールド処理を行う必要があり、この点においてもコストアップとなってしまう。
【００１７】
また、上記１コンバータ方式による技術では、各感光体に対応して電源出力を独立にオン／オフ制御する必要があり、特別に出力切換回路又は出力端に高圧リレー等が必要となってコストが増加してしまう、という問題点があった。特に高圧リレーの場合は、開閉時にノイズが発生し、ＣＰＵ等の誤動作を招いた。また、この技術では、高圧電源にトランスが備えられている場合、熱設計が困難となり、信頼性が低下する場合がある、という問題点もあった。
【００１８】
更に、上記ケーブルレス方式による技術は、装置のレイアウト上の制約で実際に導入することが困難である、という問題点があった。また、該ケーブルレス方式を導入することができた場合でも、装置の小型化に対応すべく各感光体間の距離は短くなる傾向にあり、これに伴って各感光体間の浮遊容量がコンデンサ結合と同様に作用するため、バンディングが発生してしまう、という問題点があった。
【００１９】
本発明は上記問題点を解消するために成されたものであり、出力電力の交流成分の歪みを防止することができると共に、高品質な画像を形成することができる画像形成装置を提供することを目的とする。
【００２０】
【課題を解決するための手段】
上記目的を達成するために、請求項１記載の画像形成装置は、多値画像データに基づいて画像を形成する画像形成装置であって、単一の基準クロック信号を生成する基準クロック信号生成手段、前記基準クロック信号を逓倍して異なる周波数の変換クロック信号を少なくとも１つ生成する変換手段、各々交流成分を有する電力を生成して同一機能を有する複数の被供給体に供給する複数の電源、及び前記基準クロック信号及び前記変換クロック信号の何れかを前記交流成分の周波数及びデューティを設定するための信号として前記複数の電源のうちの少なくとも２つの電源に供給することによって当該少なくとも２つの電源により生成される電力の前記交流成分の同期をとる同期手段を備えた電源装置と、前記同期手段により前記交流成分の同期がとられた電力によって現像及び帯電の少なくとも一方の動作が行われる複数の感光体と、前記複数の感光体を前記多値画像データに基づく光ビームによって走査する複数の走査光学系と、を備えたことを特徴としている。
【００２１】
請求項１に記載の画像形成装置によれば、基準クロック信号生成手段により単一の基準クロック信号が生成され、変換手段により前記基準クロック信号が逓倍されて異なる周波数の変換クロック信号が少なくとも１つ生成される。なお、上記基準クロック信号生成手段には、水晶発振器、ＬＣ発振器、マルチバイブレータ等が含まれる。また、上記変換手段には、逓倍器等が含まれる。
ここで、請求項１に記載の画像形成装置によれば、各々交流成分を有する電力を生成して同一機能を有する複数の被供給体に供給する複数の電源のうちの少なくとも２つの電源に前記基準クロック信号及び前記変換クロック信号の何れかが前記交流成分の周波数及びデューティを設定するための信号として供給されることによって当該少なくとも２つの電源により生成される電力の前記交流成分の同期が同期手段によってとられる。なお、上記被供給体には、画像形成装置における帯電器、現像器等が含まれる。
また、請求項１に記載の画像形成装置では、前記同期手段により前記交流成分の同期がとられた電力によって現像及び帯電の少なくとも一方の動作が行われる。
この際、請求項１記載の画像形成装置では、複数の走査光学系によって上記複数の感光体が多値画像データに基づく光ビームによって走査される。これによって、各感光体には上記多値画像データに基づく画像潜像が形成される。
【００２２】
このように、請求項１に記載の画像形成装置によれば、単一の基準クロック信号を逓倍して異なる周波数の変換クロック信号を少なくとも１つ生成し、各々交流成分を有する電力を生成して同一機能を有する複数の被供給体に供給する複数の電源のうちの少なくとも２つの電源に前記基準クロック信号及び前記変換クロック信号の何れかを前記交流成分の周波数及びデューティを設定するための信号として供給することによって当該少なくとも２つの電源により生成される電力の前記交流成分の同期をとっているので、出力電力の交流成分の歪みを防止することができる。
また、請求項１に記載の画像形成装置によれば、前記同期手段により前記交流成分の同期がとられた電力によって複数の感光体に対する現像及び帯電の少なくとも一方の動作が行われるので、バンディングの発生を抑制することができ、この結果として高品質な画像を形成することができる。
また、請求項１に記載の画像形成装置によれば、各電源毎にクロック信号を生成するための手段を備える場合に比較して低コストかつ小スペースに出力電力の交流成分の歪みを防止することができる。
更に、請求項１に記載の画像形成装置によれば、交流成分の周波数が異なる電力を生成する複数の電源が混在する場合にも対応することができる。
【００４３】
図１には、一例として本発明の基本構成に係る画像形成装置の好適な構成例が示されている。同図において、マシン・コントロール・ユニットは画像形成装置の動作を司るものであり、電源＃１〜電源＃４は各々対応する感光体に対して現像を行う現像器及び帯電を行う帯電器の何れか一方に駆動用の交流電力を供給するものであり、オン／オフ信号は各電源からの交流電力の出力／出力停止を個別に設定するための信号であり、コントロール信号は各電源により生成される交流電力の交流成分の振幅を個別に設定するための信号である。
【００４４】
本構成例では、各電源からの交流出力の周波数及びデューティを設定するための基準クロック信号が基準クロック信号生成手段によって生成され、該基準クロック信号が分岐されて各電源に供給されている。
【００４６】
【発明の実施の形態】
以下、図面を参照して、本発明の電源装置及び画像形成装置の実施の形態について詳細に説明する。
【００４７】
〔基本構成〕
図２には本基本構成に係るカラー画像形成装置１０Ａの概略構成が示されている。同図に示すように、カラー画像形成装置１０Ａには、無端ベルトからなる中間転写ベルト１２が、駆動ロール１４、ステアリングロール１６、２次転写ロール１８及び従動ロール２０、２２、２４により、所定の張力を持って支持されている。また、中間転写ベルト１２上には、そのベルト走行方向Ｙに従って、イエロー（Ｙ）、マゼンタ（Ｍ）、シアン（Ｃ）、ブラック（Ｋ）の各色に対応した画像形成ユニット２６、２８、３０、３２が順に配設されている。
【００４８】
各々の画像形成ユニット２６、２８、３０、３２は、それぞれ図示しない装置本体フレームに回転可能に軸支された感光体ドラム２６ａ、２８ａ、３０ａ、３２ａと、各々の感光体ドラム２６ａ、２８ａ、３０ａ、３２ａの表面をレーザビーム等の光ビームで走査露光する画像書き込み部２６ｂ、２８ｂ、３０ｂ、３２ｂを有している。また、各々の感光体ドラム２６ａ、２８ａ、３０ａ、３２ａの周囲には、そのドラム回転方向（図２時計回り方向）に従って、帯電器２６ｃ、２８ｃ、３０ｃ、３２ｃ、現像器２６ｄ、２８ｄ、３０ｄ、３２ｄ、１次転写ロール２６ｅ、２８ｅ、３０ｅ、３２ｅ及びクリーナ２６ｆ、２８ｆ、３０ｆ、３２ｆが順に配設されている。
【００４９】
なお、本基本構成に係るカラー画像形成装置１０Ａには、上記帯電器２６ｃ、２８ｃ、３０ｃ、３２ｃ、現像器２６ｄ、２８ｄ、３０ｄ、３２ｄ等の感光体ドラム周りの機器に対して駆動用の電力を供給する電源装置６０Ａ、及びカラー画像形成装置１０Ａの動作を司るマシン・コントロール・ユニット（以下、ＭＣＵという）８０Ａが備えられているが、この詳細については後述する。
【００５０】
一方、中間転写ベルト１２の走行経路上には、ベルトホームセンサ３４とエッジセンサ３６とが配置されている。
【００５１】
このうち、ベルトホームセンサ３４は、中間転写ベルト１２の周長方向１箇所に設けられたマーク等を検知するもので、ベルト走行方向Ｙにおいてイエロー（Ｙ）の画像形成ユニット２６の上流側に配置されている。なお、ベルトホームセンサ３４により出力されるマーク等の検出信号は、画像をベルトシーム（継ぎ目）と重ならないようにするために、画像形成タイミングを決定するためにも用いられる。
【００５２】
また、エッジセンサ３６は、中間転写ベルト１２のエッジ位置を検出するもので、ベルト走行方向Ｙにおいてブラック（Ｋ）の画像形成ユニット３２の下流側に（ステアリングロール１６の手前）に配置されている。
【００５３】
また、画像形成対象となる用紙３８は図示しない給紙カセットに収容され、その給紙カセットの用紙繰出側に設けられたピックアップロール４０により一枚ずつ繰り出される。繰り出された用紙３８は、所定数のロール対４２により図中破線で示す経路を辿って搬送され、２次転写ロール１８の圧接位置へと送られて、ここで中間転写ベルト１２上のカラー画像が一括転写（２次転写）される。カラー画像が転写された用紙３８は、用紙搬送系４８によって定着器５０に搬送されて画像の定着処理がなされた後、図示しないトレイに排出される。
【００５４】
図３には、本基本構成に係るカラー画像形成装置１０Ａの電源装置６０Ａ及びＭＣＵ８０Ａの概略構成が示されている。なお、説明の錯綜を回避するために、図３では電源装置６０Ａにおいて現像器２６ｄ、２８ｄ、３０ｄ、３２ｄに駆動電力（交流電力）を供給する部分のみを示し、かつＭＣＵ８０Ａにおいて電源装置６０Ａに関係する部分のみを示すと共に、以下では、この部分のみについて説明を行うが、実際の電源装置６０Ａには現像器２６ｄ、２８ｄ、３０ｄ、３２ｄ以外の機器に駆動電力を供給する部分も含まれており、ＭＣＵ８０Ａには上記電源装置６０に関係する部分以外の部分も含まれている。
【００５５】
図３に示すように、本基本構成に係る電源装置６０Ａには、各々昇圧回路６１、制御回路６３、出力検知回路６４、クロック受信回路６６等を含んで構成された電源６０ａ、６０ｂ、６０ｃ、６０ｄが備えられており、各電源６０ａ、６０ｂ、６０ｃ、６０ｄは各々高圧ケーブル７０ａ、７０ｂ、７０ｃ、７０ｄによって現像器２６ｄ、２８ｄ、３０ｄ、３２ｄに接続されて、対応する現像器に駆動電力を供給する。
【００５６】
一方、ＭＣＵ８０Ａにはカラー画像形成装置１０Ａの各部の動作を司るＣＰＵ（中央処理装置）８２が備えられていると共に、該ＣＰＵ８２による制御によって、電源６０ａ、６０ｂ、６０ｃ、６０ｄの各々による出力電力の交流成分の周波数及びデューティを設定するためのクロック信号ＣＬＫ、電源６０ａ、６０ｂ、６０ｃ、６０ｄの各々からの電力の出力／出力停止を設定するためのオン／オフ信号ＯＳ１、ＯＳ２、ＯＳ３、ＯＳ４、及び電源６０ａ、６０ｂ、６０ｃ、６０ｄの各々による出力電力の交流成分の振幅を設定するためのコントロール信号ＣＳ１、ＣＳ２、ＣＳ３、ＣＳ４を生成可能に構成されたＡＳＩＣ（Application Specific Integrated Circuit）８４が備えられている。
【００５７】
なお、本基本構成に係るクロック信号ＣＬＫによる交流成分のデューティは２５％から７５％までの範囲内で設定され、各コントロール信号ＣＳによる交流成分の振幅は５００Ｖp-pから２ｋＶp-pまでの範囲内で設定される。
【００５８】
ここで、ＡＳＩＣ８４のクロック信号ＣＬＫを出力する出力端は４つに分岐されて、各々電源６０ａ、６０ｂ、６０ｃ、６０ｄのクロック受信回路６６の入力端に接続されている。従って、各電源６０ａ、６０ｂ、６０ｃ、６０ｄには同一のクロック信号ＣＬＫが入力されることになる。
【００５９】
一方、ＡＳＩＣ８４のオン／オフ信号ＯＳ１、ＯＳ２、ＯＳ３、ＯＳ４を出力する出力端及びコントロール信号ＣＳ１、ＣＳ２、ＣＳ３、ＣＳ４を出力する出力端は各々電源６０ａ、６０ｂ、６０ｃ、６０ｄの所定の入力端に個別に接続されている。従って、電源６０ａ、６０ｂ、６０ｃ、６０ｄの各々の出力の断続、及び交流成分の振幅は、電源毎に設定可能に構成されている。
【００６０】
図４に示すように、電源６０ａは、容量性である現像器２６ｄに接続され、該容量性の現像器２６ｄと共にＬＣ直列共振回路を構成して直列共振エネルギーを回生させるインダクタンスと昇圧トランスを含んで構成された昇圧回路６１と、昇圧回路６１に含まれる昇圧トランスの１次巻線側に接続されて第１のスイッチング手段、第２のスイッチング手段、及び直列共振エネルギーを回生させるダイオードを含んで構成されたプッシュプル駆動回路６２と、プッシュプル駆動回路６２の入力側に接続されてプッシュプル駆動回路６２の制御を行う制御回路６３と、昇圧回路６１に含まれる昇圧トランスの２次巻線側と制御回路６３との間に接続されて現像器２６ｄへの出力の大きさを検出して該検出結果を示す信号を制御回路６３にフィードバックする出力検知回路６４と、昇圧回路６１に含まれる昇圧トランスの２次巻線側に接続されて現像器２６ｄに直流バイアス電圧を印加する直流バイアス電源６５と、ＡＳＩＣ８４から入力されたクロック信号ＣＬＫを受信するクロック受信回路６６と、を含んで構成されている。  
【００６１】
一方、制御回路６３は、トリガ生成回路７０と、単安定マルチバイブレータ７５と、２つの２入力のＡＮＤ回路７６及び７７と、オン／オフ切換回路７８と、出力設定回路７９と、を含んで構成されており、更にトリガ生成回路７０は、２つの微分回路７１及び７２と、反転回路７３と、２入力のＯＲ回路７４と、を含んで構成されている。
【００６２】
微分回路７１の入力端はクロック受信回路６６の出力端に直接接続されて、微分回路７２の入力端は反転回路７３を介してクロック受信回路６６の出力端に接続されており、微分回路７１及び７２の各々の出力端はＯＲ回路７４の一方及び他方の入力端に各々接続されており、ＯＲ回路７４の出力端は単安定マルチバイブレータ７５の入力端に接続されており、更に単安定マルチバイブレータ７５の出力端はＡＮＤ回路７６及びＡＮＤ回路７７の一方の入力端に接続されている。
【００６３】
また、ＡＮＤ回路７６の他方の入力端はクロック受信回路６６の出力端に直接接続され、ＡＮＤ回路７７の他方の入力端は反転回路７３を介してクロック受信回路６６の出力端に接続されており、ＡＮＤ回路７６及び７７の各々の出力端はプッシュプル駆動回路６２に含まれる第１のスイッチング手段及び第２のスイッチング手段の制御入力端に各々接続されている。
【００６４】
一方、オン／オフ切換回路７８の入力端はＡＳＩＣ８４のオン／オフ信号ＯＳ１を出力する出力端に接続され、オン／オフ切換回路７８の出力端はプッシュプル駆動回路６２に接続されている。また、出力設定回路７９の入力端はＡＳＩＣ８４のコントロール信号ＣＳ１を出力する出力端に接続され、出力設定回路７９の出力端はプッシュプル駆動回路６２に接続されている。
【００６５】
なお、電源６０ｂ、６０ｃ、６０ｄも電源６０ａと同様の構成とされているので、ここでの説明は省略する。
【００６６】
感光体ドラム２６ａ、２８ａ、３０ａ、３２ａが本発明の感光体に、画像書き込み部２６ｂ、２８ｂ、３０ｂ、３２ｂが本発明の走査光学系に、各々相当する。
【００６７】
次に、電源６０ａの動作を図５に示す各部のタイミングチャートを参照して説明する。
【００６８】
クロック信号ＣＬＫがＡＳＩＣ８４からクロック受信回路６６を介してトリガ生成回路７０に入力されると、該入力された信号ａの立ち上がり、すなわちクロック信号ＣＬＫの立ち上がりに対応したワンショットパルスが微分回路７１により生成されてトリガ信号ｃとしてＯＲ回路７４の一方の入力端に出力され、反転回路７３を介することによって反転された信号ｂの立ち上がり、すなわちクロック信号ＣＬＫの立ち下がりに対応したワンショットパルスが微分回路７２により生成されてトリガ信号ｄとしてＯＲ回路７４の他方の入力端に出力される。
【００６９】
ＯＲ回路７４では、微分回路７１及び微分回路７２から入力された２つのトリガ信号ｃ及びｄの論理和がとられてクロック信号ＣＬＫの立ち上がり及び立ち下がりの双方に対応したワンショットパルスからなるトリガ信号ｅが生成される。
【００７０】
トリガ生成回路７０から単安定マルチバイブレータ７５にトリガ信号ｅが入力されると、単安定マルチバイブレータ７５では、トリガ信号ｅのワンショットパルス毎に出力検知回路６４から入力されている信号に応じてパルス幅が設定されたパルス信号ｆが生成され、２つのＡＮＤ回路７６及び７７の一方の入力端に出力される。
【００７１】
ＡＮＤ回路７６では、信号ａとパルス信号ｆとの論理積がとられて、この結果得られたパルス信号ｇがプッシュプル駆動回路６２の第１のスイッチング手段の制御入力端に出力され、ＡＮＤ回路７７では、信号ｂとパルス信号ｆとの論理積がとられて、この結果得られたパルス信号ｈがプッシュプル駆動回路６２の第２のスイッチング手段の制御入力端に出力される。
【００７２】
このように、パルス信号ｇ及びパルス信号ｈをプッシュプル駆動回路６２に入力する信号として振り分けることによってプッシュプル駆動回路６２を駆動する。これにより、各プッシュプル駆動信号のパルス幅を変化させることなく、プッシュプル駆動回路６２の駆動タイミングを出力周期の半周期位置よりシフトすることができる。
【００７３】
パルス信号ｇとパルス信号ｈにより、プッシュプル駆動回路６２に含まれる第１、第２のスイッチング手段が交互にオンオフされ、容量性の現像器２６ｄと昇圧回路６１に含まれるインダクタンスによるＬＣ直列共振回路が直列共振される。これにより発生した直列共振エネルギーは上記第１、第２のスイッチング手段がオフする際にプッシュプル駆動回路６２に含まれるダイオードを介して回生される。この動作によって、パルス信号ｇとパルス信号ｈのパルス発生のタイミングに応じてインダクタンス電流ｉが流れ、インダクタンス電流ｉに対応して出力に交流矩形波バイアスｊが発生する。
【００７４】
このようにして発生された交流矩形波バイアスｊの周波数及びデューティは、各々クロック信号ＣＬＫの周波数及びデューティと略同一となる。
【００７５】
一方、以上のように電源６０ａの動作が行われている際には、オン／オフ切換回路７８によって、オン／オフ信号ＯＳ１に応じて昇圧回路６１へのインダクタンス電流ｉの入力／入力停止が行われるようにプッシュプル駆動回路６２が制御されると共に、出力設定回路７９によって、コントロール信号ＣＳ１に応じてインダクタンス電流ｉの大きさが設定されるようにプッシュプル駆動回路６２が制御される。この、オン／オフ切換回路７８及び出力設定回路７９の作用によって、電力（交流矩形波バイアスｊ）の出力／出力停止を設定することができると共に、出力電力の交流成分の振幅を設定することができる。
【００７６】
なお、電源６０ｂ、６０ｃ、６０ｄも電源６０ａと同様に動作するので、ここでの説明は省略する。
【００７７】
次に、カラー画像形成装置１０Ａのカラー画像を形成する際の作用について説明する。
【００７８】
まず、駆動ロール１４の回転駆動によって中間転写ベルト１２をＹ方向に走行させると、そのベルト走行中において、ベルトホームセンサ３４から出力されたマーク検出信号（ベルトホーム信号）を基準として各々の画像形成ユニット２６、２８、３０、３２で画像の書き込みが順に開始される。
【００７９】
ここで、各々の画像形成ユニット２６、２８、３０、３２では、対応する感光体ドラム２６ａ、２８ａ、３０ａ、３２ａの表面が帯電器２６ｃ、２８ｃ、３０ｃ、３２ｃによって所定電位に帯電され、該帯電された部位が各々の画像書き込み部２６ｂ、２８ｂ、３０ｂ、３２ｂから射出された光ビームで走査露光されることによって各感光体ドラム表面に画像（潜像）が形成された後、該潜像が形成された部位に各々現像器２６ｄ、２８ｄ、３０ｄ、３２ｄによって対応する色のトナーが付着されることにより、感光体ドラム２６ａ、２８ａ、３０ａ、３２ａには、各々イエロー、マゼンタ、シアン、ブラックのトナー像が形成される。
【００８０】
この際、各々現像器２６ｄ、２８ｄ、３０ｄ、３２ｄに駆動電力を供給している電源６０ａ、６０ｂ、６０ｃ、６０ｄには、上述したように同一のクロック信号ＣＬＫが供給されているので、各電源から各現像器に供給される交流出力は同期がとられたものとなっている。
【００８１】
その後、中間転写ベルト１２上には、イエロー、マゼンタ、シアン、ブラックの各色のトナー像が順次重ね転写（１次転写）され、これによって１つのカラー画像が形成される。このように、カラー画像形成装置１０Ａでは、感光体ドラム毎に色別に形成したトナー像を副走査方向（図２矢印Ｙ方向）に移動している中間転写ベルト１２に順次転写することによってカラー画像を形成しているため、各感光体ドラムに対応して設けられている帯電器、現像器等を感光体ドラム毎に異なるタイミングでオン／オフ（駆動／駆動停止）する必要がある。
【００８２】
その後、カラー画像は中間転写ベルト１２の走行に伴って２次転写ロール１８の配置位置へと搬送され、そこで用紙３８に一括転写（２次転写）される。カラー画像が転写された用紙３８は、用紙搬送系４８によって定着器５０の配置位置に搬送されて画像の定着処理（加熱、加圧等）がなされた後、図示しないトレイに排出される。
【００８３】
図６には、本基本構成に係るカラー画像形成装置１０Ａにおける電源装置６０Ａの電源６０ａ及び電源６０ｂの各々の交流出力と、クロック信号ＣＬＫとの実測結果の一例が示されている。ここで、クロック信号ＣＬＫの周波数は９ｋＨｚ、デューティは５５％である。また、各交流出力の振幅が１ｋＶp-pとなるようにコントロール信号ＣＳ１及びＣＳ２が予め設定されている。
【００８４】
同図に示すように、本基本構成に係る電源装置６０Ａの電源６０ａ及び電源６０ｂからの交流出力は、ほぼ完全に同期がとれており、従って、高圧ケーブルの引き回し経路に拘らず、図１８（Ａ）に示したような交流成分に対する歪みが発生することがない。
【００８５】
以上詳細に説明したように、本基本構成に係る電源装置では、基準となるクロック信号を生成する手段を備えると共に、該クロック信号を各電源の出力電力における交流成分の周波数及びデューティを設定するための信号として全ての電源に供給することによって交流成分の同期をとっているので、出力電力の交流成分の歪みを防止することができる。
【００８６】
また、本基本構成に係る画像形成装置では、上記のような電源装置、すなわち出力電力の交流成分が歪まない電源装置を現像器の駆動用電源として用いているので、バンディングの発生を抑制することができ、この結果として高品質な画像を形成することができる。
【００８７】
〔実施形態〕
上記基本構成では、各電源の交流出力の周波数が全て同一である場合の一形態について説明したが、本実施形態では、交流出力の周波数が異なる電源が含まれる場合の一形態について説明する。すなわち、高画質化等を目的として、Ｙ、Ｍ、Ｃ、Ｋの各色の現像器のうちのＫ色の現像器だけを他色に比較して周波数が高い交流電力によって駆動させる場合等がある。本実施形態では、このような場合の一形態について説明する。なお、ここでは、電源６０ａ、６０ｂ及び６０ｃの交流出力の周波数を５ｋＨｚとし、電源６０ｄの交流出力の周波数を９ｋＨｚとする場合について説明する。
【００８８】
図７には、本実施形態に係るカラー画像形成装置１０Ｂの電源装置６０Ａ及びＭＣＵ８０Ｂの概略構成が示されている。なお、図７における図３と同様の部分については図３と同一の符号を付して、ここでの説明を省略する。
【００８９】
図７に示すように、本実施形態に係るカラー画像形成装置１０Ｂは、基本構成に係るカラー画像形成装置１０Ａに比較して、ＭＣＵがＡＳＩＣ８４から出力されたクロック信号ＣＬＫを互いに異なる周波数に分周する分周器８６Ａ及び８６Ｂが備えられたＭＣＵ８０Ｂとされている点のみが相違している。
【００９０】
すなわち、ＡＳＩＣ８４のクロック信号ＣＬＫを出力する出力端は分岐されて分周器８６Ａ及び８６Ｂの入力端に接続されており、分周器８６Ａの出力端は３つに分岐されて電源６０ａ、６０ｂ及び６０ｃのクロック受信回路６６の入力端に接続され、分周器８６Ｂの出力端は電源６０ｄのクロック受信回路６６の入力端に接続されている。
【００９１】
ここで、ＡＳＩＣ８４によって生成されるクロック信号ＣＬＫの周波数は４５ｋＨｚに設定されており、分周器８６Ａは入力されたクロック信号を９分の１に分周するものとされ、分周器８６Ｂは入力されたクロック信号を５分の１に分周するものとされている。従って、分周器８６Ａでは周波数が５ｋＨｚのクロック信号が生成され、かつ分周器８６Ｂでは周波数が９ｋＨｚのクロック信号が生成されると共に、分周後の各クロック信号は互いに同期がとれたものとなる。従って、図８に示すように、電源６０ａ、６０ｂ及び６０ｃの交流出力、すなわちＹ、Ｍ、Ｃの各色用の交流出力は５ｋＨｚとなり、電源６０ｄの交流出力、すなわちＫ色用の交流出力は９ｋＨｚとなり、各交流出力は１ｍＳ周期で同期がとれたものとなる。
【００９２】
従って、この形態においても高圧ケーブルの引き回し経路に拘らず、図１８（Ａ）に示したような交流成分に対する歪みが発生することはない。
【００９３】
なお、カラー画像形成装置１０Ｂが本発明の画像形成装置に、電源装置６０Ａ及びＭＣＵ８０Ｂによって構成される部分が請求項１記載の発明の電源装置に、各々相当する。
【００９４】
以上詳細に説明したように、本実施形態に係る電源装置では、基本構成に係る電源装置と同様の効果を奏することができると共に、クロック信号ＣＬＫを分周して異なる周波数の分周クロック信号を生成する分周器を備えて上記分周クロック信号を電源に供給しているので、交流成分の周波数が異なる電力を生成する複数の電源が混在する場合にも対応することができる。
【００９５】
また、本実施形態に係る画像形成装置では、上記のような電源装置、すなわち出力電力の交流成分が歪まない電源装置を現像器の駆動用電源として用いているので、上記基本構成に係る画像形成装置と同様に、バンディングの発生を抑制することができ、この結果として高品質な画像を形成することができる。
【００９６】
なお、本実施形態では、電源装置６０Ａに備えられた全ての電源に対して分周されたクロック信号を供給する場合について説明したが、本発明はこれに限定されるものではなく、図９に示すように一部の電源についてのみ分周されたクロック信号を供給し、残りの電源についてはＡＳＩＣ８４から直接クロック信号を供給する形態とすることもできる。この場合には、本実施形態に比較して分周器の数を削減することができるので、低コスト化、小スペース化することができる。
【００９７】
また、本実施形態では、クロック信号ＣＬＫを分周器にて分周することによってクロック信号ＣＬＫとは異なる周波数のクロック信号を生成する場合について説明したが、本発明はこれに限定されるものではなく、クロック信号ＣＬＫを逓倍器にて逓倍することによりクロック信号ＣＬＫと異なる周波数のクロック信号を生成する形態とすることもできる。この場合も本実施形態と同様の効果を奏することができる。
【００９８】
〔参考例１〕
上記基本構成及び実施形態では、電源の外部で生成された単一のクロック信号ＣＬＫを分岐して４つの電源に供給する場合の形態例について説明したが、本参考例１では、１つの電源において生成したクロック信号を他の電源に供給する場合の一形態について説明する。
【００９９】
図１０には、本参考例１に係るカラー画像形成装置１０Ｃの電源装置６０Ｂ及びＭＣＵ８０Ｃの概略構成が示されている。なお、図１０における図３と同様の部分については図３と同一の符号を付して、ここでの説明を省略する。
【０１００】
図１０に示すように、本参考例１に係る電源装置６０Ｂは、基本構成に係る電源装置６０Ａに比較して、電源６０ａがクロック受信回路６６がクロック信号ＣＬＫを生成するクロック生成回路６７とされた電源６０ａ’とされており、クロック生成回路６７によって生成されたクロック信号ＣＬＫが分岐されて他の電源６０ｂ、６０ｃ及び６０ｄの各々のクロック受信回路６６に供給されている点のみが相違している。また、本参考例１に係るＭＣＵ８０Ｃは、基本構成に係るＭＣＵ８０Ａに比較して、ＡＳＩＣ８４がクロック信号ＣＬＫを生成しないＡＳＩＣ８４’とされている点のみが相違している。
【０１０１】
図１１には、本参考例１に係る電源６０ａ’の概略構成が示されている。なお、図１１における図４と同様の部分については図４と同一の符号を付して、ここでの説明を省略する。
【０１０２】
図１１に示すように、本参考例１に係る電源６０ａ’は、基本構成に係る電源６０ａに比較して、クロック受信回路６６がクロック信号ＣＬＫを生成するクロック生成回路６７とされている点のみが相違している。
【０１０３】
従って、各々現像器２６ｄ、２８ｄ、３０ｄ、３２ｄに駆動電力を供給している電源６０ａ’、６０ｂ、６０ｃ、６０ｄでは、同一のクロック信号ＣＬＫに基づいて交流出力が生成されているので、各電源から各現像器に供給される交流出力は同期がとられたものとなる。
【０１０４】
従って、この形態においても高圧ケーブルの引き回し経路に拘らず、図１８（Ａ）に示したような交流成分に対する歪みが発生することはない。
【０１０６】
このように、本参考例１に係る電源装置では、電源装置に含まれる４つの電源のうちの１つに交流成分の周波数及びデューティを設定するためのクロック信号ＣＬＫを生成する手段を備えると共に、該クロック信号ＣＬＫを他の電源に供給することによって交流成分の同期をとっているので、上記基本構成及び実施形態に係る電源装置と同様に、出力電力の交流成分の歪みを防止することができる。
【０１０７】
また、本参考例１に係る画像形成装置では、上記のような電源装置、すなわち出力電力の交流成分が歪まない電源装置を現像器の駆動用電源として用いているので、上記基本構成及び実施形態に係る画像形成装置と同様に、バンディングの発生を抑制することができ、この結果として高品質な画像を形成することができる。
【０１０８】
〔参考例２〕
上記基本構成、実施形態及び参考例１では、１つのクロック信号ＣＬＫを分岐して電源に供給する場合の形態について説明したが、本参考例２では、１つのクロック信号を基準として他のクロック信号を生成するクロック生成回路の同期をとることによって各電源の交流出力の同期をとる場合の一形態について説明する。
【０１０９】
図１２には、本参考例２に係るカラー画像形成装置１０Ｄの電源装置６０Ｃ及びＭＣＵ８０Ｃの概略構成が示されている。なお、図１２における図１０と同様の部分については図１０と同一の符号を付して、ここでの説明を省略する。
【０１１０】
図１２に示すように、本参考例２に係るカラー画像形成装置１０Ｄは、参考例１に係るカラー画像形成装置１０Ｃに比較して、電源６０ｄがクロック受信回路６６と制御回路６３との間にリセット回路６８及びクロック生成回路６７’が介在している電源６０ｄ’とされている点のみが相違している。
【０１１１】
図１３には、本参考例２に係る電源６０ｄ’のクロック受信回路６６から制御回路６３へ至る概略構成が示されている。なお、図１３に示す部分以外の構成は図４に示す電源６０ａと同様であるので、ここでの説明を省略する。
【０１１２】
図１３に示すように、本参考例２に係る電源６０ｄ’におけるリセット回路６８は、コンデンサＣ、２つの抵抗Ｒ１及びＲ２、トランジスタＴｒを含んで構成されており、コンデンサＣの一方の端子はクロック受信回路６６の出力端に接続され、コンデンサＣの他方の端子は抵抗Ｒ１を介してトランジスタＴｒのベースに接続されると共に、抵抗Ｒ１及び抵抗Ｒ２を介して接地されている。一方、トランジスタＴｒのコレクタはクロック生成回路６７’の入力端に接続されており、エミッタは接地されている。
【０１１３】
ここで、電源６０ａ’のクロック生成回路６７では所定周波数（例えば１ｋＨｚ）のクロック信号を生成しており、電源６０ｄ’のクロック生成回路６７’ではクロック生成回路６７によって生成されるクロック信号とは異なる周波数（例えば１０ｋＨｚ）のクロック信号を生成している。
【０１１４】
以上のように構成された電源装置６０Ｃでは、図１４に示すように、電源６０ａ’のクロック生成回路６７で生成されるクロック信号Ａと電源６０ｄ’のクロック生成回路６７’で生成されるクロック信号（図１４では「内部クロック信号」と表記）とは、異なるクロック生成回路で生成されているため、同期がとれていない場合が多いが、電源４０ｄ’ではクロック信号Ａの立ち上がりエッジでトランジスタＴｒをオンさせ、クロック生成回路６７’の内部クロック信号をリセットさせることによってクロック信号Ａに同期したクロック信号Ｂを生成している。
【０１１６】
このように、本参考例２に係る電源装置では、電源６０ａ’に交流成分の周波数及びデューティを設定するためのクロック信号を生成するクロック生成回路を備えると共に、電源６０ｄ’に上記クロック信号とは異なる周波数のクロック信号を生成するクロック生成回路を備え、かつ電源６０ａ’のクロック生成回路によって生成されたクロック信号を基準として電源６０ｄ’のクロック生成回路の同期をとることによって交流成分の同期をとっているので、クロック生成回路として低精度のものを適用することができ、低コストに出力電力の交流成分の歪みを防止することができる。
【０１１７】
更に、本参考例２に係る画像形成装置では、上記のような電源装置、すなわち出力電力の交流成分が歪まない電源装置を現像器の駆動用電源として用いているので、上記基本構成、実施形態及び参考例１に係る画像形成装置と同様に、バンディングの発生を抑制することができ、この結果として高品質な画像を形成することができる。
【０１１８】
なお、本参考例２では、１つの電源内によって生成されたクロック信号により他の電源内において生成されたクロック信号の同期をとる場合について説明したが、これに限定されるものではなく、各電源にクロック信号を生成するクロック信号生成手段を設けると共に電源装置の外部に基準となる基準クロック信号を生成する基準クロック生成回路を設け、該基準クロック信号により、各電源内のクロック信号の同期をとる形態とすることもできる。
【０１１９】
図１５には、この形態の一構成例が示されている。同図に示すように、このカラー画像形成装置１０Ｅでは、電源装置６０Ｄに含まれる全ての電源が本参考例２に係る電源６０ｄ’（図１２、図１３も参照）と同様に、クロック受信回路６６、リセット回路６８及びクロック生成回路６７’を備えて構成されており、ＡＳＩＣ８４によって基準クロック信号ＣＬＫを生成して、各電源のクロック受信回路６６に供給している。
【０１２０】
この構成では、各電源において供給された基準クロック信号ＣＬＫの立ち上がりエッジでリセット回路６８に設けられたトランジスタＴｒをオンさせ、クロック生成回路６７’の内部クロック信号をリセットさせることによって基準クロック信号ＣＬＫに同期したクロック信号を生成している。
【０１２１】
従って、このような構成においても、各電源からの交流出力の同期をとることができ、本参考例２と同様の効果を奏することができる。
【０１２３】
表１は、本発明による改善効果と従来技術による改善効果とを示したものである。なお、表１において、〇は有利、△はやや不利、×は不利を各々示している。
【０１２４】
【表１】
0003906619.tif 000002
【０１２５】
表１に示すように、１コンバータ方式、ケーブルレス方式、及びシールド化方式の各従来技術では、電源出力の独立制御性、電源出力の高周波化、電源出力の矩形波化、装置の小型化、レイアウト上の制約の回避、コスト、の何れかにおいて不利であり、本発明では何れの面についても有利であることが分かる。
【０１２６】
なお、上記基本構成及び実施形態の各々では、本発明の電源装置を昇圧回路による電源を備えた電源装置に適用した場合について説明したが、本発明はこれに限定されるものではなく、降圧回路による電源を備えた電源装置に適用する形態とすることもできる。
【０１２７】
図１６には、この場合の降圧回路を備えた電源の構成例が示されている。同図に示す電源では、入力電圧Ｖｃｃを用いて高周波のＤＣ−ＤＣコンバータで負荷容量（現像器の容量）を充電し、クロック受信回路を介して入力されたクロック信号ＣＬＫに基づくタイミングで高耐圧のスイッチング素子Ｔｒ１をスイッチングして負荷容量を放電することで高圧の矩形波を発生させている。また、一定の電圧に達した後、その電圧をしばらく維持するために、その電圧を電圧検出回路（上記基本構成及び実施形態の各々における出力検知回路に相当）で検知し、一定電圧以上の場合にはＤＣ−ＤＣコンバータの駆動を停止させている。
【０１２８】
なお、同図に示す電源では、オン／オフ信号及びコントロール信号が省略されているが、オン／オフ信号がオフを示す状態である場合にトランスの１次巻線への入力電圧の印加／非印加を制御するスイッチング素子Ｔｒ２をオフ状態とすることによりオン／オフ信号による制御が可能となり、また、コントロール信号に応じてトランスの１次巻線に印加する電圧を加減することによりコントロール信号による制御が可能となる。
【０１２９】
このような降圧回路による電源を備えた電源装置に本発明の電源装置を適用した場合でも、上記基本構成及び実施形態の各々と同様の効果を奏することができる。
【０１３０】
また、上記基本構成及び実施形態の各々では、電源装置に備えられた全ての電源の交流出力の同期をとる場合について説明したが、本発明はこれに限定されるものではなく、電源装置に備えられた電源のうちの複数に対して同期をとる形態とすることもできる。
【０１３１】
例えば、図３に示す構成において、電源６０ａと電源６０ｂとを略同一の位置に配置し、電源６０ｃと電源６０ｄとを電源６０ａ及び電源６０ｂの配置位置とは異なる略同一の位置に配置した場合、電源６０ａ及び電源６０ｂからの高圧ケーブルと、電源６０ｃ及び電源６０ｄからの高圧ケーブルとは引き回し経路が異なるため、全ての電源について同期をとる必要はなく、電源６０ａ及び電源６０ｂの同期をとると共に、電源６０ｃ及び電源６０ｄの同期をとることによって、上記基本構成及び実施形態の各々と同様の効果を奏することができる。
【０１３２】
また、例えば、図３に示す構成において、全ての電源の配置位置が略同一である場合においても、各電源のうちの複数に対して同期をとることによって、ある程度のバンディングの抑制効果は期待でき、従って、画像品質をある程度は向上することができる。
【０１３３】
また、上記基本構成及び実施形態の各々では、ＡＳＩＣにより各種信号を生成する場合について説明したが、本発明はこれに限定されるものではなく、例えば、同様の機能を有する回路を電子部品の組合せによって構成する形態とすることもできることは言うまでもない。この場合は、該機能のための占有面積が広くなってしまうものの、ＡＳＩＣ製作のためのコストを削減することができる。
【０１３４】
また、上記基本構成及び実施形態の各々では、電源毎の電力出力のオン／オフを設定するための信号（オン／オフ信号）と交流出力の振幅を設定するための信号（コントロール信号）を別個に備えた場合について説明したが、本発明はこれに限定されるものではなく、各信号の機能を１つの信号によって実現する形態とすることもできる。この形態の信号の一例としては、交流出力の振幅に対応するパルス幅とされたＰＷＭ（Pulse Width Modulation、パルス幅変調）信号が挙げられる。この場合、ＰＷＭ信号のデューティが０％である場合が電力出力をオフすることを示す。この形態では、２つの信号による設定を１つの信号で行うことができるので、信号供給のためのケーブルを削減することができ、装置を低コスト化及び小型化することができる。
【０１３５】
【発明の効果】
請求項１記載の画像形成装置によれば、単一の基準クロック信号を逓倍して異なる周波数の変換クロック信号を少なくとも１つ生成し、各々交流成分を有する電力を生成して同一機能を有する複数の被供給体に供給する複数の電源のうちの少なくとも２つの電源に前記基準クロック信号及び前記変換クロック信号の何れかを前記交流成分の周波数及びデューティを設定するための信号として供給することによって当該少なくとも２つの電源により生成される電力の前記交流成分の同期をとっているので、出力電力の交流成分の歪みを防止することができる、という効果が得られる。
【０１３６】
また、請求項１記載の画像形成装置によれば、前記交流成分の同期がとられた電力によって複数の感光体に対する現像及び帯電の少なくとも一方の動作が行われるので、バンディングの発生を抑制することができ、この結果として高品質な画像を形成することができる、という効果が得られる。
【図面の簡単な説明】
【図１】  本発明の基本構成に係る画像形成装置の好適な構成例を示すブロック図である。
【図２】  基本構成に係るカラー画像形成装置の概略構成を示すブロック図である。
【図３】  基本構成に係るカラー画像形成装置における電源装置及びＭＣＵの概略構成を示すブロック図である。
【図４】  基本構成に係るカラー画像形成装置における電源の概略構成を示すブロック図である。
【図５】  図４に示す電源の動作の説明に供するタイムチャートである。
【図６】  基本構成に係る電源装置における２つの電源の交流出力の実測結果を示す波形図である。
【図７】  実施形態に係るカラー画像形成装置における電源装置及びＭＣＵの概略構成を示すブロック図である。
【図８】  実施形態に係る各電源からの交流出力の状態を示すタイムチャートである。
【図９】  実施形態の変形例の構成を示すブロック図である。
【図１０】  参考例１に係るカラー画像形成装置における電源装置及びＭＣＵの概略構成を示すブロック図である。
【図１１】  参考例１に係るカラー画像形成装置における電源６０ａ’の概略構成を示すブロック図である。
【図１２】  参考例２に係るカラー画像形成装置における電源装置及びＭＣＵの概略構成を示すブロック図である。
【図１３】  参考例２に係るリセット回路の概略構成を示すブロック図（一部回路図）である。
【図１４】  参考例２に係る電源６０ｄ’の各部の波形状態を示すタイムチャートである。
【図１５】  参考例２の変形例の構成を示すブロック図である。
【図１６】  降圧回路を備えた電源の構成例を示すブロック図（一部回路部）である。
【図１７】  複数の現像器に対する駆動電力の入力のタイミングの一例を示す波形図である。
【図１８】  従来技術の問題点の説明に供する波形図であり、（Ａ）は電源の交流出力の歪みの状態を示す波形図、（Ｂ）は交流出力の歪みに起因する低周波の発生の状態を示す波形図、（Ｃ）は（Ｂ）の実測結果例を示す波形図である。
【図１９】  電源からの出力電力の周波数が５ｋＨｚ、９ｋＨｚ及び１５ｋＨｚである場合の、電力供給用のケーブル間の距離に対する電位差の状態の一例を示すグラフである。
【符号の説明】
１０Ｂ    カラー画像形成装置（画像形成装置）
２６ａ、２８ａ、３０ａ、３２ａ    感光体ドラム（感光体）
２６ｂ、２８ｂ、３０ｂ、３２ｂ    画像書き込み部（走査光学系）
２６ｃ、２８ｃ、３０ｃ、３２ｃ    帯電器
２６ｄ、２８ｄ、３０ｄ、３２ｄ    現像器
６０Ａ、６０Ｂ、６０Ｃ、６０Ｄ    電源装置
６０ａ、６０ｂ、６０ｃ、６０ｄ    電源
６１    昇圧回路
６３    制御回路
６４    出力検知回路
６６    クロック受信回路
６７    クロック生成回路  
６８    リセット回路  
８０Ｂ    マシン・コントロール・ユニット（電源装置）
８２    ＣＰＵ
８４’    ＡＳＩＣ（基準クロック信号生成手段、同期手段）
８６Ａ、８６Ｂ    分周器  
【図１】
0003906619.tif 000003
【図２】
0003906619.tif 000004
【図３】
0003906619.tif 000005
【図４】
0003906619.tif 000006
【図５】
0003906619.tif 000007
【図６】
0003906619.tif 000008
【図７】
0003906619.tif 000009
【図８】
0003906619.tif 000010
【図９】
0003906619.tif 000011
【図１０】
0003906619.tif 000012
【図１１】
0003906619.tif 000013
【図１２】
0003906619.tif 000014
【図１３】
0003906619.tif 000015
【図１４】
0003906619.tif 000016
【図１５】
0003906619.tif 000017
【図１６】
0003906619.tif 000018
【図１７】
0003906619.tif 000019
【図１８】
0003906619.tif 000020
【図１９】
0003906619.tif 000021